(57)【要約】本発明は、車両のドアのためのアームレストサブアセンブリであって、長手車両軸と上下方向の車両軸とを備える車両に設けられるものに関する。本発明のアームレストサブアセンブリは、車両の上下方向の軸に沿ってその高さが調節されるアームサポートと、このガイドを上下方向の軸に沿って案内可能にするガイド装置とから構成されている。ガイド装置は、アームサポート（２）の調節方向（ｚ）に沿って延びる細長いガイド要素（１ａ，４３）を備えており、前記ガイド要素は、アームサポートにはたらく力は細長いガイド要素（１ａ，３）によって軸受けドア要素（５，５０）まで伝達されてアームサポート（２）が車両の長手方向（ｘ）への動きが防がれるように、アームサポート（２）を案内することができる。
2004520125.tif 000002
【特許請求の範囲】
【請求項１】
車両長手方向軸と上下方向の車両軸とを有し、上下方向の車両軸に沿って上下方向に調節可能なアームサポートと、アームレストを上下方向の車両軸に沿って案内するガイド装置とを備える自動車に設置するための自動車ドア用のアームレストサブアセンブリであって、
ガイド装置は、アームサポート（２）の調節方向（ｚ）に沿って細長い単一のガイド要素（１ａ，４３）を有し、これによりアームサポート（２）が案内されて、アームサポート（２）に車両長手方向（ｘ）で作用する力が細長いガイド要素（１ａ，４３）を通じてドア支持要素（５，５０）に伝えられて、車両長手方向（ｘ）におけるアームサポート（２）の移動が防止されるようになっていることを特徴とする、アームレストサブアセンブリ。
【請求項２】
細長いガイド要素（１ａ，４３）は付加的にアームサポート（２）がドア平面に対して垂直に延びる軸（ｙ）のまわりに傾くのを防ぐことを特徴とする、請求項１に記載のアームレストサブアセンブリ。
【請求項３】
アームサポート（２）は、細長いガイド要素（１ａ，４３）に案内されるホルダ（２'，４４）に固定されることを特徴とする、請求項１又は２に記載のアームレストサブアセンブリ。
【請求項４】
ホルダ（１，４４）は支持プレートを備えることを特徴とする、請求項３に記載のアームレストサブアセンブリ。
【請求項５】
ガイド要素（１ａ，１ｂ，１ｃ，１ｄ，４３）は柱によって形成されていることを特徴とする、請求項１〜４のいずれか一項に記載のアームレストサブアセンブリ。
【請求項６】
ガイド要素（１ａ，４３）は管状設計であることを特徴とする、請求項１〜５のいずれか一項に記載のアームレストサブアセンブリ。
【請求項７】
ガイド要素（１ａ，１ｂ，１ｃ，１ｄ，１ｅ，４３）は中空円筒状又は型材部分として、より具体的には型材レールとして設計されていることを特徴とする、請求項１〜６のいずれか一項に記載のアームレストサブアセンブリ。
【請求項８】
アームサポート（２）は細長いガイド要素（１ａ）に旋回運動するように設けられており、細長いガイド要素の長手方向軸のまわりに旋回することを特徴とする、請求項１〜７のいずれか一項に記載のアームレストサブアセンブリ。
【請求項９】
ガイド要素（１ａ，１ｂ，１ｃ，１ｄ，１ｅ，４３）はドア支持要素（５，５０）に固定されていることを特徴とする、請求項１〜８のいずれか一項に記載のアームレストサブアセンブリ。
【請求項１０】
細長いガイド要素（１ａ，１ｂ，１ｃ，１ｄ，１ｅ，４３）は、細長いガイド要素に対して長手方向に移動可能に設けられた少なくとも１つのガイド体（３，４３ａ，４３ｂ，４３ｃ，４３ｄ，４３ｅ）と関連することを特徴とする、請求項１〜９のいずれか一項に記載のアームレストサブアセンブリ。
【請求項１１】
ガイド要素（１ａ，４３）は、ガイド要素（１ａ，４３）の延びている方向（ｚ）に沿って互いに間隔を空けて設けられておりガイド要素（１ａ，４３）に対して移動可能である少なくとも２つのガイド体（３，４３ａ，４３ｂ）と関連することを特徴とする、請求項１〜１０のいずれか一項に記載のアームレストサブアセンブリ。
【請求項１２】
２つのガイド体（３，４３ａ，４３ｂ）はガイド要素（１ａ，４３）の延びる方向（ｚ）に沿って、できるだけ大きな間隔を有することを特徴とする、請求項１１に記載のアームレストサブアセンブリ。
【請求項１３】
ガイド要素の延びる方向（ｚ）に沿ってできるだけ大きな間隔を有する単一のガイド体が設けられていることを特徴とする、請求項１０に記載のアームレストサブアセンブリ。
【請求項１４】
少なくとも１つのガイド体（３）はガイドスリーブに形成されていることを特徴とする、請求項１０〜１３のいずれか一項に記載のアームレストサブアセンブリ。
【請求項１５】
少なくとも１つのガイド体（４３ａ，４３ｂ）はガイド溝（４８）のテーパ部分により形成されていることを特徴とする、請求項１０〜１３のいずれか一項に記載のアームレストサブアセンブリ。
【請求項１６】
少なくとも１つのガイド体（３ａ，４３ｂ，４３ｃ，４３ｄ，４３ｅ）は型材体により形成されていることを特徴とする、請求項１０〜１３のいずれか一項に記載のアームレストサブアセンブリ。
【請求項１７】
少なくとも１つのガイド体（３，４３ａ，４３ｂ，４３ｃ，４３ｄ，４３ｅ）はアームサポート（２）に対して固定されていることを特徴とする、請求項１０〜１６のいずれか一項に記載のアームレストサブアセンブリ。
【請求項１８】
ガイド体（３，４３ａ，４３ｂ，４３ｃ，４３ｄ，４３ｅ）はホルダ（２'，４４）に固定されていることを特徴とする、請求項３及び１７に記載のアームレストサブアセンブリ。
【請求項１９】
２つのガイド体（３，４３ａ，４３ｂ）はそれぞれ上下方向の車両軸（ｚ）に沿って見て、ホルダ（２'，４４）の一端縁に取り付けられていることを特徴とする、請求項１１及び１８に記載のアームレストサブアセンブリ。
【請求項２０】
単一のガイド体は、上下方向の車両軸（ｚ）に沿って見て、ホルダ（２'，４４）の全長にわたって延びることを特徴とする、請求項１３及び１８に記載のアームレストサブアセンブリ。
【請求項２１】
付加的な手段が、上下方向の車両軸（ｚ）に対するアームサポート（２）の旋回運動を制限又は防ぐために設けられることを特徴とする、請求項１〜２０のいずれか一項に記載のアームレストサブアセンブリ。
【請求項２２】
付加的な手段は、アームサポート（２）をドア支持要素に対して支持するように、支持領域によって形成されることを特徴とする、請求項２１に記載のアームレストサブアセンブリ。
【請求項２３】
支持領域は、アームサポート（２）とドア支持要素（５，５０）との間に延びる２つの突起（５１）によって形成され、この２つの突起（５１）は細長いガイド要素（３）の両側に車両長手方向軸（ｘ）に沿って互いに間隔を空けて配置されることを特徴とする、請求項２２に記載のアームレストサブアセンブリ。
【請求項２４】
突起（５１）はアームサポート（２）のホルダ（２'）とドア支持要素（５，５０）との間に延びることを特徴とする、請求項３及び２３に記載のアームレストサブアセンブリ。
【請求項２５】
突起（５１）はドア支持要素（５０）上に形成されていることを特徴とする、請求項２３又は２４に記載のアームレストサブアセンブリ。
【請求項２６】
車両長手方向（ｘ）において互いに間隔を空けて、細長いガイド要素（４３）の両側に配置される２つの長手方向ガイド（４２ａ，４２ｂ）が、付加的な回転禁止ロックとして設けられることを特徴とする、請求項２１又は２２に記載のアームレストサブアセンブリ。
【請求項２７】
長手方向ガイドは，ガイドレール（４２ａ，４２ｂ，４２ｃ，４２ｄ）と、これに対して長手方向に移動可能なガイド（４７ａ，４７ｂ，４７ｃ，４７ｄ）とで形成されることを特徴とする、請求項２６に記載のアームレストサブアセンブリ。
【請求項２８】
ガイドレール（４２ａ，４２ｂ）はドア支持要素（５，５０）に設けられることを特徴とする、請求項３及び２７に記載のアームレストサブアセンブリ。
【請求項２９】
ガイド装置はがたつきを防ぐ働きをする弾性要素（４７０ａ，４７０ｂ）を有することを特徴とする、請求項１〜２８のいずれか一項に記載のアームレストサブアセンブリ。
【発明の詳細な説明】
【技術分野】
【０００１】
本発明は、特許請求の範囲の請求項１の前文に述べたとおりの、車両長手方向軸（車両がまっすぐ走行しているときの走行方向に対応する方向）と上下方向の車両軸（車両長手方向の軸に対して垂直に延びる軸）とを備える、自動車に設置される車両ドア用のアームレストサブアセンブリに関する。
【背景技術】
【０００２】
この種のアームレストサブアセンブリは、上下方向の車両軸に沿って上下方向に調節可能なアームサポートと、上下方向の車両軸に沿ってアームレストを案内するガイド装置とを備える。
【０００３】
この種のアームレストサブアセンブリは、独国特許公開公報ＤＥ４００２２４２Ａ１から周知である。ここに記載されているガイド装置は、２本の平行なガイドレールとを備えており、これは、アームサポートを案内するために、アームサポートの調節方向に延び、車両長手方向において互いに間隔を空けて設けられている。
【０００４】
【特許文献１】独国特許公開公報ＤＥ４００２２４２Ａ１
【特許文献２】米国特許公報５９２１６１０Ａ
【特許文献３】米国特許公報５７９５０２５Ａ
【特許文献４】欧州特許公開公報ＥＰ１０４８５１７Ａ
【特許文献５】独国特許公開公報ＤＥ４１３５２７９Ａ
【特許文献６】欧州特許公開公報ＥＰ０６６９２２１
【特許文献７】独国特許公開公報ＤＥ３９３０２７０
【発明の開示】
【０００５】
本発明の目的は、冒頭で挙げたこの種のアームレストサブアセンブリであって新規なガイド装置によって特徴づけられるものを提供することである。
【０００６】
これによれば、ガイド装置は、調節方向に沿って長手方向に延びる単一のガイド要素を有しており、これによりアームサポートは調節方向にガイドされており、アームサポートに車両長手方向に作用する力は、ガイド要素を通じてドア支持要素に伝えられてアームサポートの車両長手方向への移動を防ぐようになっている。
【０００７】
アームサポートの調節は、したがって、上下方向の車両軸に対して正確に平行に行わなくても良い。むしろ、上下方向の車両軸に沿うしっかりした構成要素から調節移動が成されて、調節移動のときにアームサポートが上昇又は下降することが重要である。
【０００８】
ただ一つのガイド要素は一体部材よりなるガイド要素でなくても良い。ガイド要素は、むしろアームサポートの調節方向に沿って連続的に配列された複数の部分から構成しても良い。車両長手方向軸に沿って見てガイド要素がただ１点においてアームサポートの調節方向に沿って延びることが必須である。ガイド要素は、したがって、車両長手方向に沿って互いに間隔を空けて配置された複数の異なるガイド要素から構成されておらず、車両長手方向に見て、ただ１つのまとまった（only one cohesive）ガイド領域から構成される。これは、アームサポートに車両長手方向に向かって作用する力、例えば、腕を支持するときに生ずる力を、車両長手方向におけるアームサポートの望ましくない移動が起こったり、アームレストサブアセンブリが故障したりすることなく、ドア支持要素に伝えるように設計されている。
【０００９】
さらに、細長いガイド要素は、アームサポートがドア平面、すなわち車両長手方向軸と垂直な軸とによって範囲を定められる平面に対して垂直に延びる軸（水平方向の車両横軸）に沿って傾くことを阻止すべく補償することができる。
【００１０】
アームサポートは、例えば、支持プレートの形態の高さ調節可能なホルダに固定することができ、それによって、支持サポートと共に上下方向に調節することができる。
【００１１】
ガイド要素は、特に好ましくは管状形状の柱に形成されることが好ましく、例えば中空円筒状や型材部分（型材レール）として形成することができる。ガイド要素の中空円筒状の設計によれば、ガイド要素の延出方向まわりのアームサポートのある一定の旋回動作を可能とする。
【００１２】
本発明の好ましい実施形態では、細長いガイド要素は、ドア支持要素に固定されている。しかしながら、上下方向に調節可能なアームサポートに関連させても良いし、これに連結させても良い。
【００１３】
細長いガイド要素には、これに対して相対的に移動可能な少なくとも一つのガイド体が設けられ、これにより、アームサポートの所望の調節をガイド要素とガイド体との相体的な移動によって行うことができる。
【００１４】
特に、ガイド要素の延出方向に沿って互いに間隔をあけて配置される２つのガイド体をガイド要素に対して移動可能に設けることができる。２つのガイド体は、その場合、既存の構造的な条件の範囲内でガイド要素の延出方向に沿ってできるだけ長い距離を有するように配置される。代替案として、既存の構造条件の範囲内でガイド要素の延出方向に沿うできるだけ長い距離を有する単一のガイド体を設けることができる。
【００１５】
いずれの場合においても、アームサポートの傾きを防ぐ最適なトルク補償を可能にするため、一方であるガイド要素と他方である少なくとも一つのガイド体とは、ガイド要素の延出方向に沿う最も幅広に間隔が空いた点においても相互作用するようになっている。
【００１６】
細長いガイド要素の設計に応じて、ガイド体は、ガイドブッシュ、ガイド溝のテーパに形成された領域や型材によって形成することができる。
【００１７】
ドア支持要素への好ましいガイド要素の固定に対応して、例えば、アームサポートに取り付けられた上下方向に調節可能なホルダにより、ガイド体は、アームサポートに対して固定されるのが好ましい。
【００１８】
２つのガイド体を用いる場合、好ましくはこれらはホルダの一端に延びるように上下方向の車両軸に沿って取り付けられる。単一のガイド体を用いる場合、これは上下方向の車両軸に沿うホルダの全延出長部分にわたって延びる。
【００１９】
さらに、少なくとも一つの細長いガイド要素に隣接して、制限された旋回動作が許されるか、上下方向の車両軸に対するいかなる旋回も除外するかに応じて上下方向の車両軸に対するアームサポートの旋回移動を制限又は禁止する手段を設けることができる。
【００２０】
これらの付加的な手段は、ドア支持要素に対するアームサポートの旋回を所定の旋回角度からは妨げるように支持領域に形成することができる。支持領域は、好ましくは車両長手方向において細長いガイド要素の両側に互いに間隔を空けて配置される。
【００２１】
支持領域は、例えば、ドア支持要素とアームサポートとの間、すなわち、特に車両長手方向において互いに隔てられて、細長いガイド要素の両側に設けられる突起として形成されても良い。アームサポートを保持するために上下方向に調節可能なホルダを用いる場合、これらの突起は、好ましくは上下方向に調節可能なホルダとドア支持要素との間に配置され、したがって、突起は、例えば、特にドア支持要素の上に一体に成形されて設けられる。
【００２２】
別の変形例によれば、支持領域は、車両長手方向において互いに間隔を空けて設けられる２つの長手方向ガイドによって形成され、ガイド要素の両側に配置されて、これに沿ってアームサポートまたはそのホルダとドア支持要素とが連結される。これらの長手方向ガイドは、また、ガイド溝と関連するガイドロッドとで形成されても良く、この場合、ガイド溝をたとえばアームサポートのホルダに配置して、ガイドロッドをドア支持要素に取り付けることができる。
【００２３】
付加的な支持領域は、アームサポートの上下方向の車両軸のまわりの傾動を防ぐように設けることが重要である。車両長手方向に作用する力のドア支持要素への伝わりは、反面、このために設けられた単一の細長いガイド要素を通してのみ行う。すなわち、付加的な支持領域は、一般的なアームサポートの通常の問題のない操作については、車両長手方向に作用するいかなる力も受け取ったり伝達したりせず、上下方向の車両軸まわりの傾動だけは、そうするように形成される。
【００２４】
本発明の更に好ましい展開は、がたつきを防ぐためにアームサポートの調節機構に弾性手段を設けることである。
【００２５】
本発明のより詳しい特徴及び有利な点について、図面に記載した形態を参照して説明する。
【００２６】
図１ａ及び１ｂは、車両ドアのドア内側板を被覆してドア室内側空間について内張りするドアインナトリムＩの後面図（車両ドアのドア内側板から見た）及び前面図（車両の室内空間から見た）を示す。ドアインナトリムＩは、後部に２つのスペーサ要素Ｄを有しており、ドアインナトリムＩがドア内側板に固定されるときに、ドア内側板又はドア内側板に連結された基板から離れた側の端側で支持される。ドアインナトリムとドア内側板との間の距離は、これにより固定される。スペーサ要素Ｄは中空円筒状に設計されてドアインナトリムをドア内側板に固定するために固定ねじが通せるようになっている。
【００２７】
ドアインナトリムＩは、さらにアームサポートを取り付けることが許容されるフリースペースＦを備えている。フリースペースＦの下にドアインナトリムＩに装飾片を固定するための固定ポイントＢがある。
【００２８】
図１ｃは、図１ｂに基づく図でドアインナトリムＩでへこみ取っ手Ｇを有するアームサポートＡを備えるアームレストサブアセンブリを固定した後を示す。また、アームサポートＡの前方には、車両の電気機能コンポーネント、例えばアームサポート自体だけでなく電動ウィンドウリフタや電動座席調節装置を操作できるスイッチブロックＳがある。
【００２９】
ドアインナトリムＩの装飾片Ｚは、アームサポートＡの下に固定されており、これに対して平行に延びるアームサポートＡの一部分に重なっている。装飾片Ｚの下にはカードトレイＫとスピーカーカバーＬがある。
【００３０】
図２ａ及び２ｂはそれぞれ車両ドアを斜視で示す図であり、車両ドアはドアインナトリムで車両室内側が内張りされており、且つ上下方向に調節可能なアームサポート２を備えている。アームサポート２はドアインナトリム１とともにアームサポートの高さ調節が可能なドアインナトリムモジュールを形成する。ドアインナトリム１の表面１０は、ほぼドア平面、すなわち車両長手方向軸ｘと上下方向の車両軸ｚによって限定される平面内においてに広がっている。
【００３１】
アームサポート２は、車両の長手方向Ｘに広がり、ドア平面に対してほぼ垂直に広がる支持領域２０と、さらに支持領域２０から突出して上下方向の車両軸ｚに沿って下方に延びるトリム領域２１とを有しており、トリム領域２１は、これに対して平行に延びるドアインナトリム１の一部分と重なっている。トリム領域２１は、従って上下方向の車両軸ｚに対して正確に平行に延びている必要はなく、トリム領域２１が上下方向の車両軸ｚに対して軽い傾斜を有していながらも、なお前者が後者沿って広がれば良い。同じことは、対応するドアインナトリム１の重なり部分についても適用する。アームサポート２は、したがって逆Ｌ形状を有しており、この結果、支持領域２０は一方の腕を形成し、トリム領域２１はＬ形状のアームサポート２の他方の腕を形成し、トリム領域２１は上下方向の車両軸に沿って広がり、これによって、その自由端は、ほぼ水平に広がる支持領域に対して下に離れる向きとなっている。
【００３２】
車両の内側から見ると、一体化された取っ手へこみ２２が、アームサポートの支持領域２０の後方のアームサポートに設けられて、車両長手方向ｘに実質的にアームサポート２の全長にわたって伸びている。アームサポートの支持領域２０は、手すりに置き換えることができ、実質的に水平、すなわち車両長手方向軸ｘとドア平面に対して垂直に延びる車両横軸ｙとで決定される平面内に延びている。この支持領域２０は、車両乗員の下腕を支持することができ、異なる車両乗員の要求に適合するために上下方向の車両軸ｚに沿って、すなわちアームサポート２全体とともに、上下方向に調節可能である。
【００３３】
アームサポート２の高さ調節の操作のために、操作要素３が設けられており、操作要素３は、車両長手方向ｘ（まっすぐ走行するときの対応する車両の走行方向）から見てアームサポート２の支持領域２０の前方に取り付けられて、支持領域２０に下腕が支えられている車両乗員の手によって快適に握って操作できるようになっている。電気スイッチは、この電動操作要素によって操作されて、アームサポート２及び特にアームサポート２の支持領域２０の高さを調節するための電動調節装置を作動させる。
【００３４】
図３ａから３ｃは図２ａ及び２ａに記載の構造に対応する車両ドアを、アームサポートの高さを調節するための調節装置を見ることができる部分的に取り付けられた状態で示す。調節力を発生させるために電動モータ４１が設けられ、さらに、調節スピードの制御のみならずアームサポートの衝撃のない接近が必要な場合、さらに対ジャミング保護を確実にするための制御のための専用電気制御ユニット４０を有する。駆動モータ４１は、駆動モータ４１の調節力を上下方向に調節可能なアームサポートに固定されている支持プレート４４に伝達する軸歯車装置４１ａを駆動する。
【００３５】
上下方向の車両軸に沿う調節移動の間支持プレート４４、すなわちアームサポートをガイドするためにガイド柱の形態の細長いガイド体４３がある。これはアームサポートの調節方向（上下方向の車両軸ｚに対して軽く傾斜している）に沿って延びており、これに沿って支持プレート４４がガイドされて支持プレート４４、ひいては車両長手方向ｘ（対応する車両の直進走行における走行方向）における関連するアームサポート２の変位、さらにはアームサポート２のドア平面（車両長手方向軸ｘと上下方向の車両軸ｚとによって形成される平面）に対して垂直に延びる水平方向の車両横軸ｙまわりの傾動を防止することができる。
【００３６】
ガイド柱４３に対する支持プレート４４のガイドは、支持プレート４４に設けられたガイド溝を通して行い、支持プレート４４にはガイド溝のテーパ状の領域としてガイド体４３ａ，４３ｂが形成されている。これら２つのテーパ領域４３ａ，４３ｂは、連続するガイド溝の各端、すなわち一方側は上下方向の車両軸ｚに沿う上端で他方側は支持プレート４４の下端に設けられている。アームサポート及びこれに連結された支持プレート４４を通して伝えられる車両横軸（ｙ軸）まわりの傾きモーメントは、これにより、最良の可能な方法で支持される。また上下方向の車両軸（ｚ軸）まわりの傾きモーメントを支持するために、２つのサイドガイドレール４２ａ，４２ｂが付加的に、車両長手方向軸ｘに沿って中心ガイド柱４３の両側に互いに間隔を空けて設けられている。
【００３７】
図４ａは、図２ａ及び２ｂに基づく車両ドアの横断面を示す。車両ドアのドア内側表皮は、アセンブリサポート５０によって被覆されている大表面積の後退部を備えるドア内側板５によって形成されている。多くのドアコンポーネント、例えば、電動ウィンドウリフタ、ドアロック、スピーカーシステム、サイドエアバッグなどは、車両ドアから離れているアセンブリサポート５０に予め取り付けておき、それから対応する車両ドア又はその内側板５に完全に予め組立られたサブアセンブリ（ドアモジュール）として固定することができる。
【００３８】
本実施形態では、アセンブリサポート５０は、駆動ユニットとしての駆動モータ４１を備える高さ調節可能なアームレスト２の調節機構をも支持する。駆動モータ４１は、図４ｂ及び４ｃを参照して以下により詳細に説明される調節機構を駆動し、この調節機構によりアームサポート２のホルダ４４が上下方向の車両軸ｚに沿って調節可能である。ホルダはドアインナトリム１の後方、すなわち、内側トリムの下部１００ａと上部１００ｂの両方の後方に取り付けられた支持板と、更にこの支持板から突出し、ドアインナトリムの自由端Ｏ，Ｕの間の領域に延びる連結部分４４ａとを備える。アームサポート２は、適当な方法でホルダ４４上に固定されている。
【００３９】
支持板とアームサポート２のホルダ４４の連結部分４４ａとの間に溝様の凹部４４ｂが延びており、ドアインナトリム１の上部１００ｂが、アームサポート２が調節されるとき頂点でこの内部に突き出る。これはホルダ４４が高さ調節中にドアインナトリムＩに衝突することを防ぐ。
【００４０】
ドアインナトリムは頂部でリッジトリム１４に接近している。アームサポートが上昇するとそのトリム領域２１の近傍で部分的に露出するドアインナトリム１の下部１００ｂの上部１０ａは、装飾パネル１２によって被覆されている。
【００４１】
図４ｂ及び４ｃによれば、駆動モータ４１から上下方向に調節可能なホルダ４４まで調節力を伝達するために、軸歯車装置は、駆動モータによって駆動される回転可能な軸４１０と、ホルダ４４に回転運動しないように連結された軸ナット４１１とに連結されており、軸４１０まわりのナットの係合および同軸４１０への係合を伴って上下方向の車両軸ｚに沿って移動可能になっている。
【００４２】
ホルダ４４は、中央ガイド柱４３に沿う上下方向の車両軸に沿って案内され、したがって、２つのサイドガイドレール４２ａ，４２ｂは中央ガイド柱４３の両側に回転禁止傾き禁止ロックとして付加的に設けられており、従って、ホルダ４４はスライダによってガイドレール上を移動可能に取り付けられている。
【００４３】
駆動モータ４１には、また、アームサポート２の端位置への衝撃のない接近のための調節速度の制御やジャミング禁止保護の確実化が必要とされる場合の制御のための電気制御ユニットを付設することができる。
【００４４】
図５ａから５ｃは、上下方向の車両軸ｚに沿って上下方向に調節可能なアームサポート２のためのガイド装置をより詳細に示しており、アームサポート２は上下方向に調節可能な支持プレート４４に連結されている。このために、アームサポート２は支持プレート４４から離れる方向に突出する連結部分４４ａに固定されている。
【００４５】
ガイド溝４８は、上下方向の車両軸ｚ（しかしながら完全に平行ではなく、軽く傾斜している）に沿って支持プレート４４に延びており、それにより、ガイド溝は、各上端及び下端（車両長手方向ｚにおける支持プレート４４の上縁及び下縁に対応する）に、ガイド溝４８のテーパ領域によって形成されるガイド領域４３ａ，４３ｂ（ガイド体）を有する。支持プレート４４は、これらのガイド体又は同様に上下方向の車両軸に沿って延びて、例えば車両のドア内側表皮などのドア支持要素に連結されているガイド柱のガイド領域４３ａ，４３ｂ（図３ａから３ｃを参照）に沿って案内される。ガイド体又はガイド領域４３ａ，４３ｂの部分では、ガイド溝は、関連するガイド柱の外形に適合しており、ガイド体又はガイド領域４３ａ，４３ｂは実用的には遊びがない状態でガイド柱の周りに係合している。寸法は、一方ではガイド柱に沿う支持プレート４４の動きが軽い摩擦を伴って可能となるように、他方では車両長手方向ｘにおける支持プレート４４の運動又は車両横軸ｙ周りの支持プレートの回転運動が妨げられて、支持プレート４４のそのような運動を引き起こす力をガイド領域４３ａ，４３ｂおよびドア支持要素の関連するガイド中に伝えるように、選択される。
【００４６】
前述の力は、例えば乗員がアームサポートに寄りかかるときなどに発生し、それによって増加する力及びトルクは、特にアームサポートが単純に運転中の下腕の支持のために利用される場合だけでなく他の目的、例えば、車両乗員がアームサポートにひざ立ちするような目的で使用される場合に生じる。
【００４７】
さらに、支持プレート４４は、車両長手方向ｘにおいて互いに間隔を空けて設けられて、中央ガイド溝４８の両側に配置される２つの溝４７ａ，４７ｂを有しており、これに、回転禁止ロックとして働くガイドレール４２ａ，４２ｂが案内される。また、これらのガイドレール４２ａ，４２ｂはそれぞれ車両ドアのドア支持要素に固定されている。これらのガイドレール４２ａ，４２ｂは支持プレート４４上に成形された弾性要素によって関連するガイド溝４７ａ，４７ｂ内にがたつきなく保持される。
【００４８】
２つのガイドレール４２ａ，４２ｂは支持プレート４４の関連する溝４７ａ，４７ｂ内を遊びをもって車両長手方向ｘに対して案内され、車両長手方向ｘに沿って作用する外力又は車両横軸ｙに対して作用する外からのトルクが中央ガイド溝４８及び関連するドア支持要素、すなわちドア又は車体のガイド柱に伝えられるようになっている。システムの過剰な詳述は、これに関しては避ける。
【００４９】
２つの付加的なガイドレール４２ａ，４２ｂは上下方向の車両軸ｚまわりに作用する外トルクをドア支持要素及び車体に逸らす。この目的のため、対応するガイドレール４２ａ，４２ｂは、それぞれガイド溝４７ａ，４７ｂとチャンネル基部の反対側に位置する弾性要素４７０ａ，４７０ｂとの間に十分な軽い遊びを持って収容されており、支持プレート４４、すなわちアームサポート２の上下方向の車両軸まわりの傾動が防止されるようになっている。
【００５０】
さらに、図５ａから５ｃに、アームサポートの高さ調節を行う軸歯車の軸ナットが回転に対して固定されて収容されている支持プレート４４のＣ字型ソケット４９を示す。このナット４１１はアームサポートの調節装置の駆動部によって回転可能な軸に対して長手方向に移動可能に案内されており、駆動モータの調節力を支持プレート４４及びアームサポート２に伝達する。
【００５１】
図６は、アセンブリサポート５０とこれにねじによって固定されているドアインナトリムＩとの断面を概略的に示しており、構造スペースＢＲは、高さ調節可能なアームサポート、その支持プレート、及び必要とされる駆動手段及びガイド手段の収容のために何もない状態にされている。この目的のために、アセンブリサポート５０との連結点の範囲においてドアインナトリムＩは同様の高さまで到達していながら、構造スペースＢＲを作るために固定点から十分に間隔を空けて設けられている。
【００５２】
図７ａから７ｅは、アームサポートの高さ調節可能な支持プレート２'のための１つの柱のガイドを示しており、ドア支持要素に固定するための固定点１０を有する固定フランジを端部に有する管状形状のガイド柱１ａを有する。
【００５３】
ホルダ２０'は、好ましくは支持プレート２'に一部材として一体化される２つのガイドスリーブ３によってガイド柱１ａ上を案内され、このガイドスリーブ３は、上下方向の車両軸ｚに沿って最大に間隔を空けられるように互いに離れて支持プレート２'の上端及び下端に設けられる。一体的なスリーブ３を形成するため、支持プレート２'は、スリーブ３を形成する対応する開口が設けられる上下方向の車両軸に沿う各上端及び下端に、直角にされた端部分を有する。アームサポートを支持プレート２'に固定するため、固定スタッド２０'が支持プレート２'から垂直に突出して設けられている。
【００５４】
調節装置の電気駆動モータ４１および駆動モータ４１によって回転可能な軸４１０および支持プレート２'に対して回転しないように固定されて軸４１０に沿って移動可能な軸ナット４１１とを備える関連する軸歯車装置は、ガイド柱１ａ及び支持プレート２'に１つのサブアセンブリとなるように組み合わされて、１つの完全なユニットとして予め組み立てたり予備試験したりできるようになっている。このため、電気駆動装置４１は、上下方向の車両軸ｚに沿う下端の領域でガイド柱１ａに連結されている。
【００５５】
図８は、図７ａから・・・に示される種類のガイド装置の横断面を示す。ガイド支柱１ａは、したがって、ドア内側表皮、より具体的には車両ドアのドア内側板に装着できるアセンブリサポート５０に固定点１０で連結されている。アームレストの支持プレート２'は、この場合はガイド支柱１ａに対してガイドスリーブ３によって旋回運動するように取り付けられる。
【００５６】
上下方向の車両軸ｚまわりの支持プレート２'の旋回運動は、しかしながら、アセンブリサポート５０から支持プレート２'へ向かって突起５１の形で突出する２つの支持領域によって制限される。突起５１は車両長手方向軸ｘに沿って互いに間隔を空けてガイド支柱１ａの両側に配置されており、その自由端はアームサポートの支持プレート２'の支持面を形成する。上下方向の車両軸まわりのトルクを導く横方向の力はこれによって支持される。このような横方向の力は、例えば、にぎり取っ手がアームサポートに一体化されているときや、誤用される場合に、アームサポートすなわち支持プレート２'に伝えられる。
【００５７】
支持プレート２'は、アセンブリサポート５０から形成されている突起５１を通して、好ましくは型押し加工（Pragen, imprinting）または深絞り(Tiefziehen , deep drawing)によって非常に強く傾きに対して固定されているので、これによって、単一のガイド支柱１ａを有し回転禁止ロックのために働く付加的なガイドレールを有しない非常にコスト的に効果のある単純に構成されたガイド装置を確実にし、より大きい横断力はドアインナトリムではなく突起５１を介してドア体に逸らされる。
【００５８】
図９ａから９ｃは、異なる横断面の型材部分として形成されている細長いガイド支柱１ｂ、１ｃ、１ｄを示しており、それぞれ車両ドア又は代わりにドア内側板のアセンブリサポート５０に一体部材として形成されており、アームサポートの支持プレートに連結又は成形されるガイド体としての対応する型材体４３ｃ、４３ｄ、４３ｅにそれぞれ関連する。
【００５９】
基本的にあらゆるタイプの型材部分、例えば、Ｈ，ＣあるいはＬ字状の型材を長手方向のガイドを形成するのに使用でき、これらは上下方向の車両軸に沿う精密な長手方向の案内、およびこの車両長手方向軸に沿ってこれに対して垂直な信頼性あるサポートを可能とする。
【００６０】
前述の図に示されている態様に戻って、細長いガイド要素は、また、ガイド支柱やその類似体の形でアームサポートの長手方向に移動可能な支持プレートの上に設けることができ、例えば、ガイドスリーブの形などの関連するガイド体は、アセンブリサポートやドア内側表皮などのドア支持要素上に設けることができる。
【００６１】
更に、上下方向の車両軸に沿って互いに間隔を空けて設けられる複数の、特には２つのガイドスリーブの代わりに、上下方向の車両軸に沿って最長可能長さにわたって延びる１つのガイドスリーブを用いることも可能である。
【００６２】
図１０ａ及び１０ｂは、車両ドアのアセンブリサポート５０に設けられて回転禁止ロックとして働き、アームサポートの支持プレートに一体に形成され又は固定されている対応するスライド及び支持領域４７ｃ、４７ｄと関連する細長いガイドレール４２ａ，４２ｄの２つの異なる設計の横断面を示す。
【００６３】
図９ａから９ｃから、図示されているガイド支柱１ｃから１ｅと関連するガイド体４３ｃから４３ｅとがそれぞれ車両軸ｘに沿って、実質的に遊びなしで又は小さな遊びをもって相互作用することが見てとれ、車両長手方向ｘにおいて作用する力及び上下方向の車両軸ｙまわりに作用するトルクが吸収されてアセンブリサポート５０に逸らされるようになっている。
【００６４】
これとは対照的に、ガイドレール４２ｃ及び４２ｄは、それぞれ関連するスライド又はガイド領域４７，４７ｄと車両長手方向軸ｘに沿っていくらかの遊びを有し、あるいは上下方向の軸ｙに沿って横方向に実質的に遊びなし又は非常にわずかな遊びを有して、それぞれ取り付けられている。したがって特に上下方向の車両軸ｙに沿って作用する力及び上下方向の軸ｚまわりのトルクが吸収される。
【００６５】
中央ガイド柱及び関連するガイド体は、付加的に設けられてガイドレール及び関連するスライド又はサポート領域によって形成される回転禁止ロックより車両長手方向に沿う実質的により小さい遊びを有し、その反面、直前で述べた回転禁止ロックは、ガイド支柱に関連するガイド体に対するよりもドア平面に対して垂直に延びる車両横軸ｙに沿ってより小さい遊びを有する。
【００６６】
これによって、車両長手方向ｘで作用する力は中央ガイド支柱を通じて逸らすことができ、車両横軸ｙに沿って作用する力は、例えばシステムの過剰な詳述はされていないアセンブリサポートなどのドア支持要素の付加的な回転禁止ロックを通じて逸らすことができることが確実になる。
【図面の簡単な説明】
【００６７】
【図１ａ】斜視図によるドアインナトリムの背面図を示す。
【図１ｂ】斜視図による図１ａのドアインナトリムの正面図を示す。
【図１ｃ】上下方向に調節可能なアームサポートを備える図１ｂに基づくドアインナトリムの正面図を示す。
【図２ａ．２ｂ】上下方向に調節可能なアームレストを備える車両のドアの２つの異なる斜視図を示す。
【図３ａ．３ｂ】図２ａ及び２ｂに基づく車両のドアにおいてアームサポートのガイド装置が視認できる組み込み状態の２つの斜視図を示す。
【図３ｃ】図３ａと３ａおよび３ｂのガイド装置の詳細図を示す。
【図４ａ】高さ調節可能なホルダに固定されたアームサポートを備えるドアインナトリムの断面を示す。
【図４ｂ】図４ａに基づく上下方向に調節可能なアームサポートの駆動及びガイド手段の縦断面を示す。
【図４ｃ】図４ａに基づくアームレスト領域の拡大断面を示す。
【図５ａ】さらに中心延長ガイド要素に加えて回転禁止ロックとしての２つのガイドレールを有する上下方向に調節可能なアームサポートのためのガイド装置の斜視図を示す。
【図５ｂ】図５ａのガイド装置の遠近的な背面図を示す。
【図５ｃ】図５ａ及び５ｂのガイド装置の断面図を示す。
【図６】アームレストを保持する働きをする車両ドアの構造スペースの概略図を示す。
【図７ａ−７ｅ】管状ガイド柱に形成されている単一の細長いガイド要素を備える垂直方向に調節可能なアームサポートのためのガイド装置の異なる例を示す。
【図８】上下方向の車両軸まわりのアームサポートの傾きを制限するための手段が付加的に設けられている、図７ａから７ｅに示すタイプのガイド装置の横断面図を示す。
【図９ａ−９ｃ】関連するガイド体および上下方向の車両軸に沿って延びるガイド柱の３つの異なる形態の断面図を示す。
【図１０ａ．１０ｂ】アームサポートのための傾き禁止ロックの２つの異なる実施形態の横断面を示す。
【国際公開パンフレット】
2004520125.tif 000003
2004520125.tif 000004
2004520125.tif 000005
2004520125.tif 000006
2004520125.tif 000007
2004520125.tif 000008
2004520125.tif 000009
2004520125.tif 000010
2004520125.tif 000011
2004520125.tif 000012
2004520125.tif 000013
2004520125.tif 000014
2004520125.tif 000015
2004520125.tif 000016
2004520125.tif 000017
2004520125.tif 000018
2004520125.tif 000019
2004520125.tif 000020
2004520125.tif 000021
2004520125.tif 000022
2004520125.tif 000023
2004520125.tif 000024
2004520125.tif 000025
2004520125.tif 000026
2004520125.tif 000027
2004520125.tif 000028
2004520125.tif 000029
2004520125.tif 000030
2004520125.tif 000031
2004520125.tif 000032
2004520125.tif 000033
2004520125.tif 000034
2004520125.tif 000035
2004520125.tif 000036
2004520125.tif 000037
2004520125.tif 000038
2004520125.tif 000039
【国際公開パンフレット（コレクトバージョン）】
2004520125.tif 000040
2004520125.tif 000041
【手続補正書】
【提出日】平成15年7月28日(2003.7.28)
【手続補正１】
【補正対象書類名】特許請求の範囲
【補正対象項目名】全文
【補正方法】変更
【補正の内容】
【特許請求の範囲】
【請求項１】
車両長手方向軸と上下方向の車両軸とを有し、上下方向の車両軸に沿って垂直方向に調節可能なアームサポートと、アームレストを上下方向の車両軸に沿って案内するガイド装置とを備える自動車に設置するための自動車ドア用のアームレストサブアセンブリであって、
ガイド装置は、アームサポート（２）の調節方向（ｚ）に沿って細長い単一のガイド要素（１ａ，４３）を有し、これによりアームサポート（２）が案内されて、アームサポート（２）に車両長手方向（ｘ）で作用する力が細長いガイド要素（１ａ，４３）を通じてドア支持要素（５，５０）に伝えられて、車両長手方向（ｘ）におけるアームサポート（２）の移動が防止されるようになっており、付加的な支持領域（４２ａ〜４２ｄ、４７ａ〜４７ｄ、５１）が、上下方向の車両軸（ｚ）に対するアームサポート（２）の旋回運動を制限又は防ぐために設けられてアームサポート（２）をドア支持要素に対して支持するようになっており、従ってアームサポート（２）とドア支持要素とは、車両長手方向（ｘ）に沿って作用する力が細長いガイド要素（１ａ，４３）を通じてドア支持要素のみに伝わるように、支持領域（４２ａ〜４２ｄ、４７ａ〜４７ｄ、５１）を通じて遊びをもって相互作用することを特徴とする、アームレストサブアセンブリ。
【請求項２】
細長いガイド要素（１ａ，４３）は付加的にアームサポート（２）がドア平面に対して垂直に延びる軸（ｙ）のまわりに傾くのを防ぐことを特徴とする、請求項１に記載のアームレストサブアセンブリ。
【請求項３】
アームサポート（２）は、細長いガイド要素（１ａ，４３）に案内されるホルダ（２'，４４）に固定されることを特徴とする、請求項１又は２に記載のアームレストサブアセンブリ。
【請求項４】
ホルダ（１，４３）は支持プレートを備えることを特徴とする、請求項３に記載のアームレストサブアセンブリ。
【請求項５】
ガイド要素（１ａ，１ｂ，１ｃ，１ｄ，４３）は柱によって形成されていることを特徴とする、請求項１〜４のいずれか一項に記載のアームレストサブアセンブリ。
【請求項６】
ガイド要素（１ａ，４３）は管状設計であることを特徴とする、請求項１〜５のいずれか一項に記載のアームレストサブアセンブリ。
【請求項７】
ガイド要素（１ａ，１ｂ，１ｃ，１ｄ，１ｅ，４３）は中空円筒状又は型材部分として、より具体的には型材レールとして設計されていることを特徴とする、請求項１〜６のいずれか一項に記載のアームレストサブアセンブリ。
【請求項８】
アームサポート（２）は細長いガイド要素（１ａ）に旋回運動するように設置されており、細長いガイド要素の長手方向軸のまわりに旋回することを特徴とする、請求項１〜７のいずれか一項に記載のアームレストサブアセンブリ。
【請求項９】
ガイド要素（１ａ，１ｂ，１ｃ，１ｄ，１ｅ，４３）はドア支持要素（５，５０）に固定されていることを特徴とする、請求項１〜８のいずれか一項に記載のアームレストサブアセンブリ。
【請求項１０】
細長いガイド要素（１ａ，１ｂ，１ｃ，１ｄ，１ｅ，４３）は、細長いガイド要素に対して長手方向に移動可能に設けられた少なくとも１つのガイド体（３，４３ａ，４３ｂ，４３ｃ，４３ｄ，４３ｅ）と関連することを特徴とする、請求項１〜９のいずれか一項に記載のアームレストサブアセンブリ。
【請求項１１】
ガイド要素（１ａ，４３）は、ガイド要素（１ａ，４３）の延びている方向（ｚ）に沿って互いに間隔を空けて設けられておりガイド要素（１ａ，４３）に対して移動可能である少なくとも２つのガイド体（３，４３ａ，４３ｂ）と関連することを特徴とする、請求項１〜１０のいずれか一項に記載のアームレストサブアセンブリ。
【請求項１２】
２つのガイド体（３，４３ａ，４３ｂ）はガイド要素（１ａ，４３）の延びる方向（ｚ）に沿ってできるだけ大きな間隔を有することを特徴とする、請求項１１に記載のアームレストサブアセンブリ。
【請求項１３】
ガイド要素の延びる方向（ｚ）に沿ってできるだけ大きな間隔を有する単一のガイド体が設けられていることを特徴とする、請求項１０に記載のアームレストサブアセンブリ。
【請求項１４】
少なくとも１つのガイド体（３）はガイドスリーブに形成されていることを特徴とする、請求項１０〜１３のいずれか一項に記載のアームレストサブアセンブリ。
【請求項１５】
少なくとも１つのガイド体（４３ａ，４３ｂ）はガイド溝（４８）のテーパ部分により形成されていることを特徴とする、請求項１０〜１３のいずれか一項に記載のアームレストサブアセンブリ。
【請求項１６】
少なくとも１つのガイド体（３ａ，４３ｂ，４３ｃ，４３ｄ，４３ｅ）は型材体に形成されていることを特徴とする、請求項１０〜１３のいずれか一項に記載のアームレストサブアセンブリ。
【請求項１７】
少なくとも１つのガイド体（３，４３ａ，４３ｂ，４３ｃ，４３ｄ，４３ｅ）はアームサポート（２）に対して固定されていることを特徴とする、請求項１０〜１６のいずれか一項に記載のアームレストサブアセンブリ。
【請求項１８】
ガイド体（３，４３ａ，４３ｂ，４３ｃ，４３ｄ，４３ｅ）はホルダ（２'，４４）に固定されていることを特徴とする、請求項３及び１７に記載のアームレストサブアセンブリ。
【請求項１９】
２つのガイド体（３，４３ａ，４３ｂ）はそれぞれ上下方向の車両軸（ｚ）に沿って見て、ホルダ（２'，４４）の一端縁に取り付けられていることを特徴とする、請求項１１及び１８に記載のアームレストサブアセンブリ。
【請求項２０】
単一のガイド体は、上下方向の車両軸（ｚ）に沿って見て、ホルダ（２'，４４）の全長にわたって延びることを特徴とする、請求項１３及び１８に記載のアームレストサブアセンブリ。
【請求項２１】
支持領域は、アームサポート（２）とドア支持要素（５，５０）との間に延びる２つの突起（５１）によって形成され、この２つの突起（５１）は細長いガイド要素（３）の両側に車両長手方向軸（ｘ）に沿って互いに間隔を空けて配置されることを特徴とする、請求項１〜２０のいずれか一項に記載のアームレストサブアセンブリ。
【請求項２２】
突起（５１）はアームサポート（２）のホルダ（２'）とドア支持要素（５，５０）との間に延びることを特徴とする、請求項３及び２１に記載のアームレストサブアセンブリ。
【請求項２３】
突起（５１）はドア支持要素（５０）上に形成されていることを特徴とする、請求項２１又は２２に記載のアームレストサブアセンブリ。
【請求項２４】
車両長手方向（ｘ）において互いに間隔を空けて、細長いガイド要素（４３）の両側に配置される２つの長手方向ガイド（４２ａ，４２ｂ）が、付加的な回転禁止ロックとして設けられることを特徴とする、請求項１〜２３のいずれか一項に記載のアームレストサブアセンブリ。
【請求項２５】
長手方向ガイドは，ガイドレール（４２ａ，４２ｂ，４２ｃ，４２ｄ）と、これに対して長手方向に移動可能なガイド（４７ａ，４７ｂ，４７ｃ，４７ｄ）とで形成されることを特徴とする、請求項２４に記載のアームレストサブアセンブリ。
【請求項２６】
ガイドレール（４２ａ，４２ｂ）はドア支持要素（５，５０）に設けられることを特徴とする、請求項３及び２５に記載のアームレストサブアセンブリ。
【請求項２７】
ガイド装置はがたつきを防ぐ働きをする弾性要素（４７０ａ，４７０ｂ）を有することを特徴とする、請求項１〜２６のいずれか一項に記載のアームレストサブアセンブリ。
【国際調査報告】
2004520125.tif 000042
2004520125.tif 000043
2004520125.tif 000044
2004520125.tif 000045
2004520125.tif 000046
2004520125.tif 000047